(57)【特許請求の範囲】
【請求項１】
シート状製品搬送装置１の搬送方向下流側に、このシート状製品搬送装置１にて１枚ずつ搬送されてくるシート状製品５を昇降台８にて受けて積み重ね蓄積するシート状製品積み重ね方法において、
昇降台８上へのシート状製品５の落下経路を横切る方向に出没、及び上下方向に移動可能にして設けられたプレス板１２を、上記落下経路に突出してこのプレス板１２上に、上記シート状製品搬送装置１から搬送されてきたシート状製品５を昇降台８の上方で小束状態で受け、ついでこのプレス板１２を没入してこのプレス板１２上の小束のシート状製品５を昇降台８上に落下させてから再び突出させると共に下動して、このプレス板１２にて昇降台８上の小束のシート状製品５をプレスし、この小束ずつのプレス動作を繰り返して昇降台８上に次工程に搬送する状態にシート状製品５を積み重ねるようにした
ことを特徴とするシート状製品積み重ね方法。
【請求項２】
シート状製品搬送装置１の搬送方向下流側に、このシート状製品搬送装置１にて１枚ずつ搬送されてくるシート状製品５を昇降台８にて受けて積み重ね蓄積するシート状製品積み重ね方法において、
昇降台８上へのシート状製品５の落下経路を横切る方向に出没可能にして設けられた仮受け部材を、上記落下経路に突出してこの仮受け部材上に小束のシート状製品５を受け、ついでこの仮受け部材を没入して、この仮受け部材上の小束のシート状製品５を、仮受け部材の下方に位置して、昇降台８上へのシート状製品５の落下経路を横切る方向に出没、及び上下方向に移動可能にして設けられて、上記落下経路に突出しているプレス板１２上に落下させて直ちに突出して上記落下してくるシート状製品５を仮受けし、
この仮受け部材によりシート状製品の仮受けしている間に、プレス板１２を没入してこのプレス板１２上の小束のシート状製品５を昇降台８上に落下させてから再び突出させると共に下動して、このプレス板１２にて昇降台８上の小束のシート状製品５をプレスし、
シート状製品５の仮受け部材による仮受け及び仮受け部材から落下させた後のプレス板１２によるプレスする作動を小束ずつ繰り返して昇降台８上に次工程に搬送する状態にシート状製品５を積み重ねるようにした
ことを特徴とするシート状製品積み重ね方法。
【発明の詳細な説明】
【０００１】
【発明の属する技術分野】
本発明は、１枚ずつ間隔を持って搬送されてくるシート状製品を昇降台上に積み重ねて蓄積する積み重ね方法に関するものである。
【０００２】
【従来の技術】
従来のこの種の積み重ね方法にあっては、昇降台上に積み重ねて蓄積されたシート状製品を、プレスすることなく、自然落下状態で積み重ねしている。
【０００３】
【発明が解決しようとする課題】
受け台上に積み重ねるシート状製品が、各シートが何層にか折り曲げられた製品で、かつ幅が狭いシート状製品だったり、間に空気が入り易く、幅の狭いシート状製品の場合、積み重ね中にシート状製品が幅方向のどちらかに傾き易く、傾いたまま積み重ねが続けられると、途中で崩れてしまうことがあった。また、積み重ねたシート状製品は浮き上がって不安定な状態となり、そのままの状態で次工程へ搬送すると姿勢が崩れてしまうことがあった。
【０００４】
本発明は上記のことにかんがみなされたもので、崩れやすいシート状製品でも、昇降台上に途中で崩れることなく安定した状態で積み重ねることができ、また次工程へ積み重ねた状態のまま崩れることなく搬送できるようにしたシート状製品の積み重ね方法を提供することを目的とするものである。
【０００５】
【課題を解決するための手段】
上記目的を達成するために、シート状製品搬送装置１の搬送方向下流側に、このシート状製品搬送装置１にて１枚ずつ搬送されてくるシート状製品５を昇降台８にて受けて積み重ね蓄積するシート状製品積み重ね方法において、
昇降台８上へのシート状製品５の落下経路を横切る方向に出没、及び上下方向に移動可能にして設けられたプレス板１２を、上記落下経路に突出してこのプレス板１２上に、上記シート状製品搬送装置１から搬送されてきたシート状製品５を昇降台８の上方で小束状態で受け、ついでこのプレス板１２を没入してこのプレス板１２上の小束のシート状製品５を昇降台８上に落下させてから再び突出させると共に下動して、このプレス板１２にて昇降台８上の小束のシート状製品５をプレスし、この小束ずつのプレス動作を繰り返して昇降台８上に次工程に搬送する状態にシート状製品５を積み重ねるようにしている。
【０００６】
また、シート状製品搬送装置１の搬送方向下流側に、このシート状製品搬送装置１にて１枚ずつ搬送されてくるシート状製品５を昇降台８にて受けて積み重ね蓄積するシート状製品積み重ね方法において、
昇降台８上へのシート状製品５の落下経路を横切る方向に出没可能にして設けられた仮受け部材を、上記落下経路に突出してこの仮受け部材上に小束のシート状製品５を受け、ついでこの仮受け部材を没入して、この仮受け部材上の小束のシート状製品５を、仮受け部材の下方に位置して、昇降台８上へのシート状製品５の落下経路を横切る方向に出没、及び上下方向に移動可能にして設けられて、上記落下経路に突出しているプレス板１２上に落下させて直ちに突出して上記落下してくるシート状製品５を仮受けし、この仮受け部材によりシート状製品の仮受けしている間に、プレス板１２を没入してこのプレス板１２上の小束のシート状製品５を昇降台８上に落下させてから再び突出させると共に下動して、このプレス板１２にて昇降台８上の小束のシート状製品５をプレスし、シート状製品５の仮受け部材による仮受け及び仮受け部材から落下させた後のプレス板１２によるプレスする作動を小束ずつ繰り返して昇降台８上に次工程に搬送する状態にシート状製品５を積み重ねるようにした。
【０００７】
【作用】
シート状製品搬送装置から昇降台上に小束状態で落下したシート状製品は、そのつど下動するプレス板にて小束状態でプレスされる。
【０００８】
【発明の実施の形態】
本発明の実施の形態を図面に基づいて説明する。図中１は相接して設けられた上部コンベヤベルト２と下部コンベヤベルト３とからなるシート状製品搬送装置であり、４はこのシート状製品搬送装置１の搬送方向下流端側に設けられたシート状製品積み重ね装置である。
【０００９】
このシート状製品積み重ね装置４は、シート状製品搬送装置１から搬送されてくるシート状製品５が突き当たる前当て板６と、この前当て板６に対向する後当て板７と、この両当て板６，７の間に位置されて上記シート状製品５を受ける昇降台８と、この昇降台８をシート状製品の積み重ね速度に同期して下降し、かつ、任意に昇降するための昇降装置９と、上記シート状製品搬送装置１の搬送落下部の下側に位置し、この搬送落下部から落下するシート状製品５を仮に受けるクシ棒１０を、出没可能に設けたシート状製品仮受け装置１１と、このシート状製品仮受け装置１１のクシ棒１０と昇降台８との間に位置し、この昇降台８上のシート状製品をプレスするプレス板１２を出没可能に、かつ上下動可能に設けたプレス装置１３とからなっている。
【００１０】
上記シート状製品仮受け装置１１のクシ棒１０はエアシリンダ１４にて上記シート状製品５の落下位置に対して出没動作するようになっている。またプレス装置１３のプレス板１２は昇降用エアシリンダ１５にて昇降するようになっており、かつこの昇降用エアシリダ１５は水平動用エアシリンダ１６にて水平方向に、プレス板１２が上記シート製品５の落下位置に対して出没動作できるようになっている。
【００１１】
上記構成における動作を図２から図１０を参照して説明する。
【００１２】
動作（１）（図２）、シート状製品搬送装置１にて１枚ずつ搬送されてくるシート状製品５を、突出しているシート状製品仮受け装置１１のクシ棒１０にて仮受する。
【００１３】
動作（２）（図３）、クシ棒１０にて仮に受けているシート状製品が設定した枚数に達したときに、クシ棒１０を引いて、このクシ棒１０上に仮受けされていたシート状製品５を突出しているプレス板１２上に落とす。その後直ちにクシ棒１０を突出する。
【００１４】
動作（３）（図４）、搬送されてくるシート状製品５をクシ棒１０にて仮受けしている間に、プレス板１２を引いてプレス板１２上に載っていた小束のシート状製品５を昇降台８上に落下する。その後プレス板１２を引いたままの状態で上へ上げる。
【００１５】
動作（４）（図５）、クシ棒１０で搬送されてくるシート状製品５を仮受けている間に、プレス板１２を上へ上げた状態でこれを昇降台８上の小束のシート状製品の上に突出する。
【００１６】
動作（５）（図６）、クシ棒１０で搬送されてくるシート状製品５を仮受けしている間に、プレス板１２を下降してプレス板１２と昇降台８の間にある小束のシート状製品５にプレスをかけ続ける。
【００１７】
動作（６）（図７）、クシ棒１０で仮受けしているシート状製品５が設定した枚数に達したときにクシ棒１０を引いてクシ棒１０上のシート状製品をプレス板１２上に落下する。その後直ちにクシ棒１０を突出する。
【００１８】
動作（７）（図８）、搬送されてくるシート状製品５をクシ棒１０で受けている間に、プレス板１２を引いて、このプレス板１２上に載っていた小束のシート状製品を昇降台８上に落下する。その後、プレス板１２を引いたままの状態で上へ上げる。
【００１９】
動作（８）（図９）、搬送されてくるシート状製品５を受けている間に、プレス板１２を上へ上げたままの状態で小束のシート状製品上に突出する。
【００２０】
動作（９）（図１０）、クシ棒１０で搬送されてくるシート状製品５を仮受けしている間に、プレス板１２を下に下げてプレス板１２と昇降台８の間にある小束のシート状製品にプレスをかけ続ける。
【００２１】
クシ棒１０で受けているシート状製品が設定の枚数に達した場合、以上の動作を繰返す。
【００２２】
上記実施の形態では、シート状製品積み重ね装置４の昇降台８の上方に、昇降台８上のシート状製品５をプレスするプレス板１２と、このプレス板１２の上方に、シート状製品搬送装置１から搬送されてくるシート状製品５を仮に受けるクシ棒１０を設けた例を示したが、必ずしもこのクシ棒１０はなくてもよい。
【００２３】
この場合、プレス板１２によるプレス動作中に、上記シート状製品５はこのプレス板１２上に落下してくるが、プレス動作の終了のたびに、プレス板１２を引き抜いて上昇し、これを落下してきたシート状製品５の上側に突出して再びプレス動作をする。
【００２４】
【発明の効果】
本発明は、昇降台８上に積まれたシート状製品を小束ずつ、崩れる前にプレス板１２にてプレスして膨らみを潰して整えることができるので、崩れやすいシート状製品でも、昇降台８上に途中で崩れることなく安定した状態で積み重ねることができる。またこの積み重ねた状態が安定するので、次工程に搬送する場合も、積み重ねた状態のまま崩れることなく搬送できる。
【図面の簡単な説明】
【図１】  本発明の実施の形態を示す正面図である。
【図２】  本発明の動作説明図である。
【図３】  本発明の動作説明図である。
【図４】  本発明の動作説明図である。
【図５】  本発明の動作説明図である。
【図６】  本発明の動作説明図である。
【図７】  本発明の動作説明図である。
【図８】  本発明の動作説明図である。
【図９】  本発明の動作説明図である。
【図１０】  本発明の動作説明図である。
【符号の説明】
１…シート状製品搬送装置、２…上部コンベヤベルト、３…下部コンベヤベルト、４…シート状製品積み重ね装置、５…シート状製品、６…前当て板、７…後当て板、８…昇降台、９…昇降装置、１０…クシ棒、１１…シート状製品仮受け装置、１２…プレス板、１３…プレス装置、１４，１５，１６…エアシリンダ。
【図１】
0004110602.tif 000002
【図２】
0004110602.tif 000003
【図３】
0004110602.tif 000004
【図４】
0004110602.tif 000005
【図５】
0004110602.tif 000006
【図６】
0004110602.tif 000007
【図７】
0004110602.tif 000008
【図８】
0004110602.tif 000009
【図９】
0004110602.tif 000010
【図１０】
0004110602.tif 000011